(57)【要約】      （修正有）【課題】羽毛布団独特のふんわり感を損ねずに収納でき、収納後の再使用の際に、羽毛布団の膨らみをに直ぐに復元可能で、さらに、収納中に不快臭を消臭可能な羽毛布団収納ケースを提供する。【解決手段】前壁11と左右側壁１２，１３と後壁１４と底壁１５とを有する上方開口状の箱本体１と、後壁１４の上端縁１４ｅに一体状に連結され閉状態で上壁１６を形成する蓋体１０と、を備えると共に、平面視矩形状の扁平箱型に形成され、羽毛布団を収納するための羽毛布団収納ケースとする。さらに、後壁１４と、上記底壁１５と、上壁１６の一部１６ａと、を積層布２で構成し、積層布２を、通気性を有する表て面側不織布と、通気性及び消臭性を有する中材と、通気性を有する裏面側不織布と、を順次積層した三層構造とした。【選択図】図２
0003173124.tif 000002
【実用新案登録請求の範囲】
【請求項１】
前壁（11）と左右側壁（12）（13）と後壁（14）と底壁（15）とを有する上方開口状の箱本体（１）と、上記後壁（14）の上端縁（14ｅ）に一体状に連結され閉状態で上壁（16）を形成する蓋体（10）と、を備えると共に、平面視矩形状の扁平箱型に形成され、羽毛布団（９）を収納するための羽毛布団収納ケースに於て、
上記後壁（14）と、上記底壁（15）と、上記上壁（16）の一部（16ａ）と、を積層布（２）で構成し、
上記積層布（２）を、通気性を有する表て面側不織布（21）と、通気性及び消臭性を有する中材（22）と、通気性を有する裏面側不織布（23）と、を順次積層した三層構造としたことを特徴とする羽毛布団収納ケース。
【請求項２】
上記中材（22）は、酢ビ−マレイン酸共重合体銅担持物含有ビスコースレーヨン繊維から成る消臭繊維を１０〜３０重量％含有する請求項１記載の羽毛布団収納ケース。
【請求項３】
上記積層布（２）は、上記表て面側不織布（21）と、上記中材（22）と、上記裏面側不織布（23）と、を超音波融着にて融着して一体状に形成され、
さらに、上記積層布（２）は、上記超音波融着による融着跡（29）の全体が、点線網目状模様に形成されている請求項１又は２記載の羽毛布団収納ケース。
【請求項４】
上記箱本体（１）と上記蓋体（10）とを、着脱自在に係合するための線条スライドファスナ（５）を備え、
さらに、不織布から成ると共に上記線条スライドファスナ（５）に上記羽毛布団（９）が噛み込むのを防止する保護帯布（52）（53）を、上記左右側壁（12）（13）の上端縁部（12ｅ）（13ｅ）に縫着した請求項１，２又は３記載の羽毛布団収納ケース。
【請求項５】
上記前壁（11）の下端縁部（11ｄ）に縫着された不織布から成ると共に面状ファスナの雌雄一方のファスナ片（61）が縫着された第１帯体（71）と、上記後壁（14）の下端縁部（14ｄ）近傍に縫着され不織布から成ると共に上記面状ファスナの雌雄他方のファスナ片（62）が縫着された第２帯体（72）と、から成り、上記羽毛布団（９）の膨らみを押さえると共に所定位置に位置決めするための移動阻止ベルト（６）を備えた請求項１，２，３又は４記載の羽毛布団収納ケース。
【考案の詳細な説明】
【技術分野】
【０００１】
本考案は、羽毛布団収納ケースに関する。
【背景技術】
【０００２】
従来、布団を押入れに収納する際には、布団を樹脂フィルム製の袋に入れて、開口部を密閉し、逆止め弁を有する吸引口から内部の空気を吸引して、布団を圧縮減容する吸引密封式圧縮収納袋を用いていた（例えば、特許文献１参照）。
【先行技術文献】
【特許文献】
【０００３】
【特許文献１】特開２００７−２０４０９７公報
【考案の概要】
【考案が解決しようとする課題】
【０００４】
しかし、羽毛布団は、圧縮収納袋に入れて圧縮すると、羽毛が複雑に絡み合って圧縮され、次に使用する際に、膨らみが直ぐに復元できず、収納前状態に戻るのに時間がかかる（数日かかる）といった問題があった。また、再び使用する際に、収納前に比べて羽毛布団独特のふんわり感が損なわれてしまうといった問題もあった。また、汗や体臭、タバコの臭い等の不快臭が残って、収納後に再び使用する際に、不快臭を強く感じてしまうといった問題があった。
【０００５】
そこで、本考案は、羽毛布団独特のふんわり感を損ねずに収納でき、収納後の再使用の際に、羽毛布団の膨らみが直ぐに復元可能で、さらに、収納中に不快臭を消臭可能な羽毛布団収納ケースの提供を目的とする。
【課題を解決するための手段】
【０００６】
上記目的を達成するために、本考案の羽毛布団収納ケースは、前壁と左右側壁と後壁と底壁とを有する上方開口状の箱本体と、上記後壁の上端縁に一体状に連結され閉状態で上壁を形成する蓋体と、を備えると共に、平面視矩形状の扁平箱型に形成され、羽毛布団を収納するための羽毛布団収納ケースに於て、上記後壁と、上記底壁と、上記上壁の一部と、を積層布で構成し、上記積層布を、通気性を有する表て面側不織布と、通気性及び消臭性を有する中材と、通気性を有する裏面側不織布と、を順次積層した三層構造としたものである。
また、上記中材は、酢ビ−マレイン酸共重合体銅担持物含有ビスコースレーヨン繊維から成る消臭繊維を１０〜３０重量％含有するものである。
また、上記積層布は、上記表て面側不織布と、上記中材と、上記裏面側不織布と、を超音波融着にて融着して一体状に形成され、さらに、上記積層布は、上記超音波融着による融着跡の全体が、点線網目状模様に形成されているものである。
【０００７】
また、上記箱本体と上記蓋体とを、着脱自在に係合するための線条スライドファスナを備え、さらに、不織布から成ると共に上記線条スライドファスナに上記羽毛布団が噛み込むのを防止する保護帯布を、上記左右側壁の上端縁部に縫着したものである。
また、上記前壁の下端縁部に縫着された不織布から成ると共に面状ファスナの雌雄一方のファスナ片が縫着された第１帯体と、上記後壁の下端縁部近傍に縫着され不織布から成ると共に上記面状ファスナの雌雄他方のファスナ片が縫着された第２帯体と、から成り、上記羽毛布団の膨らみを押さえると共に所定位置に位置決めするための移動阻止ベルトを備えたものである。
【考案の効果】
【０００８】
本考案によれば、収納中に、体臭やタバコ臭、ペット臭等の不快臭を消臭でき、収納後の再使用の際に、快適に使用できる。収納による羽毛の変形が殆ど無く、羽毛布団独特のふんわり感を損なわずに収納できる。収納後の再使用の際に、羽毛布団の膨らみが直ぐに復元でき、即座に使用できる。通気性に優れ、カビの発生を抑えることができる。
【図面の簡単な説明】
【０００９】
【図１】本考案の実施の一形態を示す斜視図である。
【図２】実施形態の開口状態示す斜視図である。
【図３】実施形態の収納途中状態を示す斜視図である。
【図４】積層布の要部拡大断面図である。
【図５】積層布の要部拡大平面図である。
【考案を実施するための形態】
【００１０】
以下、図示の実施形態に基づき本考案を詳説する。
本考案の羽毛布団収納ケースは、図１乃至図３に示す実施形態に於て、前壁11と、左右側壁12，13と、後壁14と、底壁15と、を有する上方開口状かつ浅皿状の箱本体１と、後壁14の上端縁14ｅに一体状に連結され閉状態で上壁16を形成する蓋体10と、箱本体１と蓋体10とを着脱自在（開閉自在）に係合するための線条スライドファスナ５と、を備え、平面視矩形状の扁平箱型（低い箱型）に形成されている。
【００１１】
そして、底壁15と、後壁14と、上壁16の一部16ａと、を１枚の通気性を有する積層布２で構成している。上壁16の一部16ａとは、後壁14の上端縁14ｅと連続状の後側縁部を有し、上壁16の５０〜８０％を占める平面視矩形状（長方形状）部位である。
【００１２】
図４に於て、積層布２は、通気性を有する表て面側不織布21と、通気性及び消臭性を有する中材22と、通気性を有する裏面側不織布23と、を順次積層した三層構造である。
【００１３】
表て面側不織布21と裏面側不織布23は樹脂製であって、具体的には、ポリプロピレンから成る。
中材22は、消臭繊維と綿材とから成る。そして、消臭繊維は、酢ビ−マレイン酸共重合体銅担持含有ビスコースレーヨン繊維から成り、綿材は、樹脂製であって、具体的には、
ポリエステルから成る。
【００１４】
また、中材22は、消臭繊維が１０〜３０重量％であり、綿材が７０〜９０重量％である。より好ましくは、消臭繊維が１５〜２５重量％であり、綿材が７５〜８５重量％である。消臭繊維が下限値未満であると十分な消臭効果が得られず、上限値を越えると製造が困難となる。
【００１５】
ここで、酢ビ−マレイン酸共重合体銅担持含有ビスコースレーヨン繊維（消臭繊維）とは、酢ビ−マレイン酸共重合体と、セルロースと、銅イオンと、を有する繊維である。
例えば、酢ビ−マレイン酸共重合体が５〜１５重量％、セルロースが８４〜９４重量％、銅イオンが０重量％を越え３重量％未満である。
より好ましくは、酢ビ−マレイン酸共重合体が１０重量％、セルロースが８９重量％以上９０重量％未満、銅イオンが０重量％を越え１重量％未満である。また、比重は１.５、水に不溶、発火点が４００〜４７０℃である。例えば、ダイワボウノイ株式会社の製品名「デオメタフィ（登録商標）Ｄワタ」である。
【００１６】
この消臭繊維は、繊維がもつ酸性基（−ＣＯＯＨ）によるアミン・アンモニアの中和反応と銅錯体（銅イオンと−ＣＯＯＨ基から生成される物質）の反応によって、不快臭分子を、吸着・分解して消臭するものである。つまり、不快臭分子（臭気成分分子）を分解して匂わない物質に変えてしまうので、不快臭よりも強い芳香で不快臭の匂いを感覚的に無くす方法や、活性炭のように不快臭を吸着する方法に比べて、優れた消臭性能を発揮する。
【００１７】
図４と図５に於て、積層布２は、表て面側不織布21と、中材22と、裏面側不織布23と、を順次積層し、超音波融着（溶着）にて融着して一体状に（一枚の布地に）形成されている。
そして、図５に示すように、融着跡29は平面視で小さい（直径が５ｍｍ以下の）円形であり、１００個（箇所）以上の多数の融着跡29が、１０本以上の多数の点線（破線）を描き、さらに、その点線が相互に格子状に交差して、網目模様を描いている。即ち、融着跡29全体が、点線網目状模様（点線格子状模様）に形成されている。
この模様は、積層布２の表て面と裏面に表示される（描かれる）。そして、融着跡29で囲まれた中材22は、移動が阻止されるため、消臭繊維が積層布２に全体に渡って略均一に（偏らずに）配置され、消臭効果が効率良く得られる。言い換えると、積層布２がキルティング状に超音波融着されている。また。針を使用した縫製に比べて、針が残らず、安全である。
【００１８】
図１乃至図３に於て、線条スライドファスナ５（以下、線条ファスナ５と呼ぶ場合もある）は、箱本体１の前壁11及び左右側壁12，13と、上壁16（蓋体10）と、を着脱自在に係合するように、前壁11と左右側壁12，13の上端縁部に線条ファスナ５のファスナエレメントの一方５ａが縫着され、上壁16の前端縁部と左右側縁部に線条ファスナ５のファスナエレメントの他方５ｂが縫着されている。
【００１９】
そして、図２及び図３に於て、線条ファスナ５を閉じる際に羽毛布団９と線条ファスナ５の間に配設され、線条ファスナ５に羽毛布団９が噛み込むのを防止する保護帯布52，53を、左右側壁12，13の上端縁部に縫着している。
【００２０】
保護帯布52，53は、通気性を有する樹脂製の不織布であって、具体的には、ポリプロピレンから成る。保護帯布52，53は、線条ファスナ５のファスナエレメントの一方５ａと、同工程にて（同時に）、左右側壁12，13に縫着される。また、前後方向の水平状軸心廻りに揺動自在に縫着されている。
【００２１】
また、箱本体１は、羽毛布団９の膨らみを押さえると共に箱本体１内の所定位置に羽毛布団９を位置決めするための移動阻止ベルト６を備えている。
移動阻止ベルト６は、前壁11の下端縁部11ｄに縫着された第１帯体71と、後壁14の下端縁部14ｄ近傍に縫着された第２帯体72から成る。第１帯体71及び第２帯体72は、通気性を有する樹脂製の不織布であり、具体的にはポリプロピレンから成る。
第１帯体71に面状ファスナの雌雄一方のファスナ片61が縫着され、第２帯体72に面状ファスナの雌雄他方のファスナ片62が縫着されている。また、第１帯体71及び第２帯体72は、左右方向の水平状軸心廻りに揺動自在に縫着されている。
また、第１帯体71を前壁11に２つ設け、第２帯体72を後壁14に２つ設けている。つまり、移動阻止ベルト６を２つ設けている。
【００２２】
また、箱本体１の前壁11及び左右側壁12，13は、通気性を有する樹脂製の不織布であって、具体的には、ポリプロピレンから成る。この三壁（前壁11及び左右側壁12，13）用不織布と積層布２は、一体状に縫着（縫製）されている。また、前壁11を形成する不織布と、積層布２と、第１帯体71と、を同工程にて（同時に）縫着している。
【００２３】
また、図１乃至図３に於て、上壁16の残部16ｂは、閉状態で前端縁寄りに配設され、上壁16の２０〜５０％を占める平面視矩形状（長方形状）部位であって、透明な覗き窓に形成されている。この残部16ｂ（覗き窓部16ｂ）は、樹脂製のシート体であって、具体的には、ポリエチレンから成る。この樹脂製シート体と積層布２は、一体状に縫着（縫製）されている。
また、箱本体１の左右幅寸法Ｗ、及び、蓋体10の左右幅寸法は、同等であって、半間（８５〜９０ｃｍ）に設定され、押入れへの収納を容易としている。
【００２４】
次に、上述した本考案の羽毛布団収納ケースの使用方法（作用）について説明する。
例えば、図２に示すように、線条ファスナ５を開状態として、蓋体10を揺動して、箱本体１を開口状態とする。
図３に於て、シングルサイズの１枚の羽毛布団９を縦方向に１回、横方向に１回の合計２回折り畳んで、所定の大きさとし、折り畳まれた羽毛布団９を箱本体１に収納する。
羽毛布団９と、左右側壁12，13の一方のファスナ片５ａと、の間に、保護帯布52，53を配設する。さらに、第１帯体71と第２帯体72を面状ファスナで係合して、羽毛布団９の膨らみ（厚み）を押さえると共に、位置決めする。
【００２５】
線条ファスナ５を閉じる際に、保護帯布52，53及び第１帯体71，71によって、羽毛布団９が線条ファスナ５に噛み込まれるのが防止され、移動阻止ベルト６によって、膨らみが抑えられ、スムーズかつ容易に閉じられる。
【００２６】
ここで、前壁11、左右側壁12，13、後壁14、底壁15、上壁16の一部16ａ、保護帯布52，53、第１帯体71、第２帯体72は、通気性を有しているため、湿気ず、カビの発生を抑え、羽毛布団９のふんわり感を損なわれずに保持する。また、押入れ等に、羽毛布団収納ケースを複数段積み上げて収納した場合も、羽毛布団収納ケース同士が空気の流れを遮断することなく、十分に通気が確保される。
【００２７】
さらに、収納中に、汗・体臭、トイレ・排泄臭、生ゴミ臭、ペット臭、タバコ臭、建材臭、車の排気ガス臭を分解して（匂わない物質に変えて）消臭する。
具体的には、アンモニア、硫化水素、酢酸、メチルメルカプタン、トリメチルアミン、ホルムアルデヒド、窒素酸化物、硫黄酸化物等の不快臭分子を分解して消臭する。
【００２８】
また、羽毛布団９を、従来技術のように圧縮収納袋で強く圧縮しないので、羽毛同士が複雑に絡み合って塊となるのを防げる。そして、開封すると、羽毛が直ぐに収納前のように膨らんで、即座に使用可能となる。
例えば、羽毛布団９を、従来技術の圧縮収納袋に収納すると、羽毛が圧縮され塊となる。そして、塊となった羽毛が収納前のように膨らむには、天日干しで数日間かかる場合があった。さらに、復元が不可能なほどに、羽毛が変形してしまう場合もあり、収納前のふんわり感（軽量感や柔らかさ）が得られなくなる。
【００２９】
また、羽毛布団９の内部に、骨のような軸を有する羽毛（羽根）が含まれていても、軸が折れるような無理な力が加わらず、また、軸が布団布地に刺さるような虞れもない。例えば、圧縮収納袋に入れて圧縮すると、羽の軸が折れる場合や、軸が布団の布地を傷つけてしまう場合があり、再び使用する際に、収納前に比べて布団のふんわり感が損なわれていた。
なお、本考案に於て、「羽毛」とは、羽毛（ダウン）に限らず、軸を有する羽根（フェザー）も含む。したがって、「羽毛布団」とは、羽根（フェザー）が多く含まれている羽根布団も含む。また、羽毛は天然羽毛と人工羽毛の両方を含む。
【００３０】
本考案は設計変更可能であって、移動阻止ベルト６を３つ設けても良い。また、覗き窓部16ｂの大きさや形状は自由である。なお、後壁14の下端縁部14ｄ近傍とは、後壁14の下端縁部14ｄに縫着することと、及び、後壁14の下端縁部14ｄに近い底壁15に縫着することを含む。
【００３１】
以上のように、本考案の羽毛布団収納ケースは、前壁11と左右側壁12，13と後壁14と底壁15とを有する上方開口状の箱本体１と、後壁14の上端縁14ｅに一体状に連結され閉状態で上壁16を形成する蓋体10と、を備えると共に、平面視矩形状の扁平箱型に形成され、羽毛布団９を収納するための羽毛布団収納ケースに於て、後壁14と、底壁15と、上壁16の一部16ａと、を積層布２で構成し、積層布２を、通気性を有する表て面側不織布21と、通気性及び消臭性を有する中材22と、通気性を有する裏面側不織布23と、を順次積層した三層構造としたので、収納中に、体臭やペット臭等の不快臭を消臭でき、収納後の再使用の際に、快適に使用できる。収納による羽毛の変形が殆ど無く、羽毛布団独特のふんわり感を損なわずに収納できる。収納後の再使用の際に、羽毛布団の膨らみが直ぐに得られ（復元でき）、即座に使用できる。通気性に優れ、カビの発生を抑えることができる。
【００３２】
また、中材22は、酢ビ−マレイン酸共重合体銅担持物含有ビスコースレーヨン繊維から成る消臭繊維を１０〜３０重量％含有するので、製造が容易で優れた消臭性能を得ることができる。不快臭分子の匂い成分を根本から分解して臭わない物質に変えて消臭できる。つまり、吸着や芳香による消臭に比べて臭いの成分自体を無くすので優れた消臭効果が得られる。
【００３３】
また、積層布２は、表て面側不織布21と、中材22と、裏面側不織布23と、を超音波融着にて融着して一体状に形成され、さらに、積層布２は、超音波融着による融着跡29の全体が、点線網目状模様に形成されているので、融着跡29で囲まれた中材22の移動を阻止でき、消臭繊維が積層布２に全体に渡って略均一に（偏らずに）配置され、消臭効果が効率良く得られる。また。針を使用した縫製に比べて、針が残らず、安全である。
【００３４】
また、箱本体１と蓋体10とを、着脱自在に係合するための線条スライドファスナ５を備え、さらに、不織布から成ると共に線条スライドファスナ５に羽毛布団９が噛み込むのを防止する保護帯布52，53を、左右側壁12，13の上端縁部12ｅ，13ｅに縫着したので、容易かつスムーズに羽毛布団９を傷つけることなく線条スライドファスナ５を開閉できる。
【００３５】
また、前壁11の下端縁部11ｄに縫着された不織布から成ると共に面状ファスナの雌雄一方のファスナ片61が縫着された第１帯体71と、後壁14の下端縁部14ｄ近傍に縫着され不織布から成ると共に面状ファスナの雌雄他方のファスナ片62が縫着された第２帯体72と、から成り、羽毛布団９の膨らみを押さえると共に所定位置に位置決めするための移動阻止ベルト６を備えたので、蓋体10を容易かつスムーズに閉じることができる。また、羽毛を変形させずに適度な力で押圧でき、再使用の際に、膨らみが復元する時間を短縮できる。前壁11側で羽毛布団９が線条スライドファスナ５に噛み込むのを防止でき、スムーズに開閉できる。
【符号の説明】
【００３６】
１  箱本体
２  積層布
５  線条スライドファスナ
６  移動阻止ベルト
９  羽毛布団
10  蓋体
11  前壁
11ｄ  下端縁部
12，13  左右側壁
12ｅ，13ｅ  上端縁部
14  後壁
14ｅ  上端縁
15  底壁
16  上壁
16ａ  一部
21  表て面側不織布
22  中材
23  裏面側不織布
29  融着跡
52，53  保護帯布
61  雌雄一方のファスナ片
62  雌雄他方のファスナ片
71  第１帯体
72  第２帯体
【図１】
0003173124.tif 000003
【図２】
0003173124.tif 000004
【図３】
0003173124.tif 000005
【図４】
0003173124.tif 000006
【図５】
0003173124.tif 000007